(57)【要約】【課題】２層および多層光ディスクの記録再生においてフォーカス誤差信号とトラッキング誤差信号ともに他層からの迷光の影響を受けず、安定したサーボ信号、高Ｓ／Ｎの再生信号を得ることが出来る光ピックアップ装置を提供することを目的とする。【解決手段】２層および多層光ディスクからの反射光を回折格子により複数の領域に分割する。回折格子の中心を通り、ディスク接線方向に伸びる分割線に対し、中央領域を除く片側の回折格子領域から回折した光ビームを検出する受光部を結線し、もう片側も同様に結線し、信号を検出する。【選択図】  図３
2011159352.tif 000002
【特許請求の範囲】
【請求項１】
光ピックアップ装置であって、
レーザ光を出射する半導体レーザと、
前記半導体レーザから出射された光ビームを光ディスクに照射する対物レンズと、
前記対物レンズを前記光ディスク半径方向に変位させるためのアクチュエータと、
光ディスクから反射した光ビームを分岐する回折格子と、
前記回折格子により分岐された光ビームを受光する複数の受光部を有する光検出器とを備え、
前記回折格子中央領域を除く回折格子領域のうち、
前記回折格子の略中心を通り、前記光ディスク接線方向に伸びる分割線に対し、片側の回折格子領域から回折した光ビームを検出する複数の受光部が結線されており、
もう片側の回折格子領域から回折した光ビームを検出する複数の受光部が結線されていることを特徴とする光ピックアップ装置。
【請求項２】
光ピックアップ装置であって、
レーザ光を出射する半導体レーザと、
前記半導体レーザから出射された光ビームを光ディスクに照射する対物レンズと、
前記対物レンズを前記光ディスク半径方向に変位させるためのアクチュエータと、
光ディスクから反射した光ビームを分岐する回折格子と、
前記回折格子により分岐された光ビームを受光する複数の受光部を有する光検出器とを備え、
前記回折格子中央領域を除く回折格子領域のうち、
前記回折格子の略中心を通り、前記光ディスク接線方向に伸びる分割線に対し、片側の回折格子領域から回折した光ビームを検出する複数の受光部と回折格子中央領域を回折した光ビームを検出する受光部が結線されており、
もう片側の回折格子領域から回折した光ビームを検出する複数の受光部と回折格子中央領域を回折した光ビームを検出する受光部が結線されていることを特徴とする光ピックアップ装置。
【請求項３】
光ピックアップ装置であって、
レーザ光を出射する半導体レーザと、
前記半導体レーザから出射された光ビームを光ディスクに照射する対物レンズと、
前記対物レンズを前記光ディスク半径方向に変位させるためのアクチュエータと、
光ディスクから反射した光ビームを分岐する回折格子と、
前記回折格子により分岐された光ビームを受光する複数の受光部を有する光検出器とを備え、
前記回折格子は、中心領域の他に前記回折格子の略中心を通り、前記光ディスク略接線方向に伸びる分割線により領域１、領域２に分けられ、
前記回折格子領域１および領域２は、２つ以上の小領域を有しており、
前記回折格子領域１の小領域を回折した光ビームを検出する複数の受光部が結線されており、
前記回折格子領域２の小領域を回折した光ビームを検出する受光部が結線されていることを特徴とする光ピックアップ装置。
【請求項４】
光ピックアップ装置であって、
レーザ光を出射する半導体レーザと、
前記半導体レーザから出射された光ビームを光ディスクに照射する対物レンズと、
前記対物レンズを前記光ディスク半径方向に変位させるためのアクチュエータと、
光ディスクから反射した光ビームを分岐する回折格子と、
前記回折格子により分岐された光ビームを受光する複数の受光部を有する光検出器とを備え、
前記回折格子は、中心領域の他に前記回折格子の略中心を通り、前記光ディスク略接線方向に伸びる分割線により領域１、領域２に分けられ、
前記回折格子領域１および領域２は、２つ以上の小領域を有しており、
前記回折格子領域１の小領域を回折した光ビームを検出する受光部と前記回折格子領域２の小領域を回折した光ビームを検出する受光部とが少なくとも２つは結線されていることを特徴とする光ピックアップ装置。
【請求項５】
請求項４記載の光ピックアップ装置において、
結線された受光部に入射する光ビームが透過した前記回折格子領域１の小領域と領域２の小領域は、
前記回折格子面上において異なる外形であることを特徴とする光ピックアップ装置。
【請求項６】
請求項４又は５記載の光ピックアップ装置において、
結線された受光部に入射する光ビームが透過した前記回折格子領域１の小領域と領域２の小領域は、
前記回折格子面上において線もしくは点もしくは回転に対し、非対称であることを特徴とする光ピックアップ装置。
【請求項７】
請求項３から請求項６のいずれか一項記載の光ピックアップ装置において、
前記回折格子領域１の小領域と領域２の小領域は、
前記回折格子面上において前記回折格子の略中心を通り、前記光ディスク略接線方向に伸びる分割線に対し、線対称であることを特徴とする光ピックアップ装置。
【請求項８】
請求項３から請求項７のいずれか一項記載の光ピックアップ装置において、
前記回折格子領域１の小領域と領域２の小領域は、
前記回折格子面上において前記回折格子の略中心を通り、前記光ディスク略半径方向に伸びる分割線に対し、線対称であることを特徴とする光ピックアップ装置。
【請求項９】
請求項３から請求項８のいずれか一項記載の光ピックアップ装置において、
前記回折格子領域１の小領域と領域２の小領域は、前記回折格子の略中心に対し、点対称であることを特徴とする光ピックアップ装置。
【請求項１０】
光ピックアップ装置であって、
レーザ光を出射する半導体レーザと、
前記半導体レーザから出射された光ビームを光ディスクに照射する対物レンズと、
前記対物レンズを前記光ディスク半径方向に変位させるためのアクチュエータと、
光ディスクから反射した光ビームを分岐する回折格子と、
前記回折格子により分岐された光ビームを受光する複数の受光部を有する光検出器とを備え、
前記回折格子は領域Ａ、領域Ｂ、領域Ｃの３つの領域を有し、
前記光ディスク上のトラックにより回折されたディスク回折光のうち、
前記領域Ａには、０次ディスク回折光が入射し、
前記領域Ｂには、０次、±１次ディスク回折光が入射し、
前記領域Ｃには、０次ディスク回折光の中心光ビームが入射し、
前記領域Ａは、前記回折格子の中心を通り、前記光ディスク接線方向に伸びる分割線によってＤＡ１とＤＡ２の回折格子領域に分けられており、
前記領域Ｂは、前記回折格子の中心を通り、前記光ディスク接線方向に伸びる分割線によってＤＢ１とＤＢ２の回折格子領域に分けられており、
前記回折格子の中心を通り、前記光ディスク接線方向に伸びる分割線に対し、ＤＡ１とＤＢ１は同じ領域にあり、
前記回折格子の中心を通り、前記光ディスク接線方向に伸びる分割線に対し、ＤＡ２とＤＢ２は同じ領域にあり、
前記回折格子領域ＤＡ１を回折した光ビームを検出する１つ以上の受光部と前記回折格子領域ＤＢ１を回折した光ビームを検出する１つ以上の受光部が結線されており、
前記回折格子領域ＤＡ２を回折した光ビームを検出する１つ以上の受光部と前記回折格子領域ＤＢ２を回折した光ビームを検出する１つ以上の受光部が結線されていることを特徴とする光ピックアップ装置。
【請求項１１】
光ピックアップ装置であって、
レーザ光を出射する半導体レーザと、
前記半導体レーザから出射された光ビームを光ディスクに照射する対物レンズと、
前記対物レンズを前記光ディスク半径方向に変位させるためのアクチュエータと、
光ディスクから反射した光ビームを分岐する回折格子と、
前記回折格子により分岐された光ビームを受光する複数の受光部を有する光検出器とを備え、
前記回折格子は領域Ａ、領域Ｂ、領域Ｃの３つの領域を有し、
前記光ディスク上のトラックにより回折されたディスク回折光のうち、
前記領域Ａには、０次ディスク回折光が入射し、
前記領域Ｂには、０次、±１次ディスク回折光が入射し、
前記領域Ｃには、０次ディスク回折光の中心光ビームが入射し、
前記領域Ａは、前記回折格子の中心を通り、前記光ディスク接線方向に伸びる分割線によってＤＡ１とＤＡ２の回折格子領域に分けられており、
前記領域Ｂは、前記回折格子の中心を通り、前記光ディスク接線方向に伸びる分割線によってＤＢ１とＤＢ２の回折格子領域に分けられており、
前記回折格子の中心を通り、前記光ディスク接線方向に伸びる分割線に対し、ＤＡ１とＤＢ１は同じ領域にあり、
前記回折格子の中心を通り、前記光ディスク接線方向に伸びる分割線に対し、ＤＡ２とＤＢ２は同じ領域にあり、
前記回折格子領域ＤＡ１を回折した光ビームを検出する１つ以上の受光部と前記回折格子領域ＤＢ２を回折した光ビームを検出する１つ以上の受光部が結線されており、
前記回折格子領域ＤＡ２を回折した光ビームを検出する１つ以上の受光部と前記回折格子領域ＤＢ１を回折した光ビームを検出する１つ以上の受光部が結線されていることを特徴とする光ピックアップ装置。
【請求項１２】
光ピックアップ装置であって、
レーザ光を出射する半導体レーザと、
前記半導体レーザから出射された光ビームを光ディスクに照射する対物レンズと、
前記対物レンズを前記光ディスク半径方向に変位させるためのアクチュエータと、
光ディスクから反射した光ビームを分岐する回折格子と、
前記回折格子により分岐された光ビームを受光する複数の受光部を有する光検出器とを備え、
前記回折格子は領域Ａ、領域Ｂ、領域Ｃの３つの領域を有し、
前記光ディスク上のトラックにより回折されたディスク回折光のうち、
前記領域Ａには、０次ディスク回折光が入射し、
前記領域Ｂには、０次、±１次ディスク回折光が入射し、
前記領域Ｃには、０次ディスク回折光の中心光ビームが入射し、
前記領域Ａは、前記回折格子の中心を通り、前記光ディスクの接線方向に伸びる分割線と半径方向に伸びる分割線によって回折格子領域Ｄｅ、Ｄｆ、Ｄｇ、Ｄｈに分けられており、
前記回折格子領域Ｄｇ、Ｄｈは前記光ディスク内周側であり、前記回折格子領域Ｄｅ、Ｄｆは前記光ディスクの外周方向であり、
かつ前記回折格子中心を通り、前記光ディスクの半径方向に伸びる分割線で分けられた２つの領域に対し、前記回折格子領域Ｄｅ、Ｄｈは同じ領域にあり、
かつ前記回折格子中心を通り、前記光ディスクの半径方向に伸びる分割線で分けられた２つの領域に対し、前記回折格子領域Ｄｇ、Ｄｆは同じ領域にあり、
前記領域Ｂは、前記回折格子の中心を通り、前記光ディスクの接線方向に伸びる分割線と半径方向に伸びる分割線によって回折格子領域Ｄａ、Ｄｂ、Ｄｃ、Ｄｄに分けられており、
前記回折格子領域Ｄｃ、Ｄｄは前記光ディスク内周側であり、前記回折格子領域Ｄａ、Ｄｂは前記光ディスクの外周方向であり、
かつ前記回折格子中心を通り、前記光ディスクの半径方向に伸びる分割線で分けられた２つの領域に対し、前記回折格子領域Ｄａ、Ｄｄは同じ領域にあり、
かつ前記回折格子中心を通り、前記光ディスクの半径方向に伸びる分割線で分けられた２つの域に対し、前記回折格子領域Ｄｃ、Ｄｂは同じ領域にあり、
かつ前記回折格子中心を通り、前記光ディスクの半径方向に伸びる分割線で分けられた２つの領域に対し、前記回折格子領域Ｄａ、Ｄｄ、Ｄｅ、Ｄｈは同じ領域にあり、
前記回折格子領域Ｄａを回折した光ビームを検出する受光部ａ１と前記回折格子領域Ｄｂを回折した光ビームを検出する受光部ｂ１と前記回折格子領域Ｄｅを回折した光ビームを検出する受光部ｅ１と前記回折格子領域Ｄｆを回折した光ビームを検出する受光部ｆ１が結線されており、
前記回折格子領域Ｄｃを回折した光ビームを検出する受光部ｃ１と前記回折格子領域Ｄｄを回折した光ビームを検出する受光部ｄ１と前記回折格子領域Ｄｇを回折した光ビームを検出する受光部ｇ１と前記回折格子領域Ｄｈを回折した光ビームを検出する受光部ｈ１が結線されていることを特徴とする光ピックアップ装置。
【請求項１３】
光ピックアップ装置であって、
レーザ光を出射する半導体レーザと、
前記半導体レーザから出射された光ビームを光ディスクに照射する対物レンズと、
前記対物レンズを前記光ディスク半径方向に変位させるためのアクチュエータと、
光ディスクから反射した光ビームを分岐する回折格子と、
前記回折格子により分岐された光ビームを受光する複数の受光部を有する光検出器とを備え、
前記回折格子は領域Ａ、領域Ｂ、領域Ｃの３つの領域を有し、
前記光ディスク上のトラックにより回折されたディスク回折光のうち、
前記領域Ａには、０次ディスク回折光が入射し、
前記領域Ｂには、０次、±１次ディスク回折光が入射し、
前記領域Ｃには、０次ディスク回折光の中心光ビームが入射し、
前記領域Ａは、前記回折格子の中心を通り、前記光ディスクの接線方向に伸びる分割線と半径方向に伸びる分割線によって回折格子領域Ｄｅ、Ｄｆ、Ｄｇ、Ｄｈに分けられており、
前記回折格子領域Ｄｇ、Ｄｈは前記光ディスク内周側であり、前記回折格子領域Ｄｅ、Ｄｆは前記光ディスクの外周方向であり、
かつ前記回折格子中心を通り、前記光ディスクの半径方向に伸びる分割線で分けられた２つの領域に対し、前記回折格子領域Ｄｅ、Ｄｈは同じ領域にあり、
かつ前記回折格子中心を通り、前記光ディスクの半径方向に伸びる分割線で分けられた２つの領域に対し、前記回折格子領域Ｄｇ、Ｄｆは同じ領域にあり、
前記領域Ｂは、前記回折格子の中心を通り、前記光ディスクの接線方向に伸びる分割線と半径方向に伸びる分割線によって回折格子領域Ｄａ、Ｄｂ、Ｄｃ、Ｄｄに分けられており、
前記回折格子領域Ｄｃ、Ｄｄは前記光ディスク内周側であり、前記回折格子領域Ｄａ、Ｄｂは前記光ディスクの外周方向であり、
かつ前記回折格子中心を通り、前記光ディスクの半径方向に伸びる分割線で分けられた２つの領域に対し、前記回折格子領域Ｄａ、Ｄｄは同じ領域にあり、
かつ前記回折格子中心を通り、前記光ディスクの半径方向に伸びる分割線で分けられた２つの域に対し、前記回折格子領域Ｄｃ、Ｄｂは同じ領域にあり、
かつ前記回折格子中心を通り、前記光ディスクの半径方向に伸びる分割線で分けられた２つの領域に対し、前記回折格子領域Ｄａ、Ｄｄ、Ｄｅ、Ｄｈは同じ領域にあり、
前記回折格子領域Ｄａを回折した光ビームを検出する受光部ａ１と前記回折格子領域Ｄｂを回折した光ビームを検出する受光部ｂ１と前記回折格子領域Ｄｇを回折した光ビームを検出する受光部ｇ１と前記回折格子領域Ｄｈを回折した光ビームを検出する受光部ｈ１が結線されており、前記回折格子領域Ｄｃを回折した光ビームを検出する受光部ｃ１と前記回折格子領域Ｄｄを回折した光ビームを検出する受光部ｄ１と前記回折格子領域Ｄｅを回折した光ビームを検出する受光部ｅ１と前記回折格子領域Ｄｆを回折した光ビームを検出する受光部ｆ１が結線されていることを特徴とする光ピックアップ装置。
【請求項１４】
請求項１２又は１３記載の光ピックアップ装置において、
前記受光部ａ１と前記回折格子領域Ｃの回折光を検出する受光部が結線されており、
前記受光部ｃ１と前記回折格子領域Ｃの別の回折光を検出する受光部が結線されていることを特徴とする光ピックアップ装置。
【請求項１５】
請求項１２又は１３記載の光ピックアップ装置において、
前記回折格子領域Ｃは、Ｄｉ１、Ｄｉ２、Ｄｉ３、Ｄｉ４に分けられており、
前記回折格子領域Ｄｉ３、Ｄｉ４は前記光ディスク内周側であり、前記回折格子領域Ｄｉ１、Ｄｉ２は前記光ディスクの外周方向であり、
かつ前記回折格子中心を通り、前記光ディスクの半径方向に伸びる分割線で分けられた２つの領域に対し、前記回折格子領域Ｄｉ１、Ｄｉ４は同じ領域にあり、
かつ前記回折格子中心を通り、前記光ディスクの半径方向に伸びる分割線で分けられた２つの域に対し、前記回折格子領域Ｄｉ２、Ｄｉ３は同じ領域にあり、
前記受光部ａ１と前記回折格子領域Ｄｉ１を回折した光ビームを検出する受光部とＤｉ３を回折した光ビームを検出する受光部が結線されており、
前記受光部ｃ１と前記回折格子領域Ｄｉ２を回折した光ビームを検出する受光部とＤｉ４を回折した光ビームを検出する受光部が結線されていることを特徴とする光ピックアップ装置。
【請求項１６】
請求項１２又は１３記載の光ピックアップ装置において、
前記回折格子領域Ｃの回折光を検出する２つ以上の受光部が結線されていることを特徴とする光ピックアップ装置。
【請求項１７】
請求項１０から請求項１６のいずれか一項記載の光ピックアップ装置において、
前記回折格子領域Ａを回折した光ビームを検出する受光部が少なくとも２つディスク半径方向に並んでいることを特徴とする光ピックアップ装置。
【請求項１８】
請求項１０から請求項１６のいずれか一項記載の光ピックアップ装置において、
前記回折格子領域Ｂを回折した光ビームを検出する受光部が少なくとも２つディスク接線方向に並んでいることを特徴とする光ピックアップ装置。
【請求項１９】
請求項１から請求項１８のいずれか一項記載の光ピックアップ装置において、
前記回折格子は、+１次光の光量と−１次光の光量が略同じであることを特徴とする光ピックアップ装置。
【請求項２０】
請求項１から請求項１９のいずれか一項記載の光ピックアップ装置において、
再生信号を検出する複数の受光部が結線されており、
前記受光部に入射した光ビームを電気信号に変換増幅するときのアンプ数が３つ以下であることを特徴とする光ピックアップ装置。
【請求項２１】
請求項１から請求項２０のいずれか一項記載の光ピックアップ装置と、
前記光ピックアップ装置内における前記半導体レーザを駆動するレーザ点灯回路と、
前記光ピックアップ装置内の前記光検出器から検出された信号を用いてフォーカス誤差信号及びトラッキング誤差信号を生成するサーボ信号生成回路と、
光ディスクに記録された情報信号を再生する情報信号再生回路とを搭載した光ディスク装置。
【発明の詳細な説明】
【技術分野】
【０００１】
本発明は、光ピックアップ装置および光ディスク装置に関する発明である。
【背景技術】
【０００２】
本技術分野の背景技術として、例えば特開２００６−３４４３４４号公報（特許文献１）がある。本公報には課題として「複数の記録層を有する光ディスクから所望の信号を精度良く取得する」と記載があり、解決手段として「光源ユニット５１から出射されたＰ偏光の光ビームは、光ディスク１５で反射され、Ｓ偏光となってレンズ６１に入射する。そして１／４波長板６２、６３では、いずれも、光軸の＋Ｘ側に入射した光ビーム＋１／４波長の光学的位相差が付与され。−Ｘ側に入射した光ビームに−１／４波長の光学位相差が与えられる。これにより、１／４波長板６３を介した信号光はＳ偏光、迷光はＰ偏光となり、偏光光学素子６４では信号光のみが透過する。」と記載されている。
【０００３】
また、例えば非特許文献１には課題として「２層ディスクを記録／再生するとき、目的の層とは異なる層から反射した光がある他層迷光がフォトディテクタに入射するとＴＥ信号にオフセットが生じる。このため、他層迷光対策のない従来の構成では、２層ディスクでのＴＥ信号のオフセットが単層の場合に比べ大きくなり、安定な制御が妨げられる。」と記載があり、解決手段として「トラッキング用フォトディテクタを他層迷光のない領域に配置する」と記載されている。また、その構成については特開２００４−２８１０２６（特許文献２）においても記載されている。
【先行技術文献】
【特許文献】
【０００４】
【特許文献１】特開２００６−３４４３４４公報（第２６頁、図３、図５）
【特許文献２】特開２００４−２８１０２６（第７１頁、図２２、図２４、図２５）
【非特許文献】
【０００５】
【非特許文献１】電子情報通信学会  信学技報ＣＰＭ２００５−１４９（２００５−１０）（第３３頁、図４、図５）
【発明の概要】
【発明が解決しようとする課題】
【０００６】
光ピックアップ装置は、一般に光ディスク内にある所定の記録トラック上に正しくスポットを照射するため、フォーカス誤差信号の検出により対物レンズをフォーカス方向に変位させてフォーカス方向に調整が行われる他、トラッキング誤差信号を検出して対物レンズをディスク状記録媒体の半径方向へ変位させてトラッキング調整が行われる。これらのサーボ信号により対物レンズの位置制御が行われる。
【０００７】
上記サーボ信号のうち、トラッキング誤差信号については、記録層が２層存在する２層ディスクとなることで大きな課題がある。２層ディスクでは、目的の記録層を反射した信号光の他に目的でない記録層を反射した迷光が同じ受光部に入射する。受光部に信号光と迷光が入射すると、２つの光ビームが干渉し、その変動成分がトラッキング誤差信号に検出されてしまうのである。
【０００８】
この問題に対し、特許文献１では、光ディスクで反射した光ビームを集光レンズで絞り、２枚の１／４波長板と偏光光学素子を透過させて広がった光を集光レンズで絞ることで、迷光を検出器に入射させない構成としている。そのため、検出光学系が複雑となり光ピックアップ装置のサイズが大きくなるという課題がある。
【０００９】
非特許文献１（特許文献２）では、フォーカス用光検出器の周囲に生じるフォーカス用光ビームの他層からの迷光の外側にトラッキング用受光部を配置する構成にすることで変動成分のない信号を検出している。ところが、他層からの迷光の外側に受光部を配置する構成は、光検出器のサイズが大きくなることに伴うピックアップ装置のサイズの課題やコストの課題が発生する。
【００１０】
本発明は、複数の情報記録面を有する情報記録媒体を記録再生する場合に、安定したサーボ信号および高Ｓ／Ｎの再生信号を得ることが可能でかつ小型化可能な光ピックアップ装置およびこれを搭載した光ディスク装置を提供することを目的とする。
【課題を解決するための手段】
【００１１】
上記目的は、一例として、特許請求の範囲に記載の発明によって達成できる。
【発明の効果】
【００１２】
本発明によれば複数の情報記録面を有する情報記録媒体を記録／再生する場合に、安定したサーボ信号および高Ｓ／Ｎの再生信号を得ることが可能でかつ小型化可能な光ピックアップ装置およびこれを搭載した光ディスク装置を提供することができる。
【図面の簡単な説明】
【００１３】
【図１】実施例１における本発明の光学系を説明する図である。
【図２】実施例１における本発明の回折格子を示す図である。
【図３】実施例１における本発明の受光部を示す図である。
【図４】実施例１における２層ディスクを記録／再生時の迷光の形状（検出器上）を示す図である。
【図５】実施例１における本発明の他の回折格子を示す図である。
【図６】実施例１における本発明の他の受光部を示す図である。
【図７】実施例２における本発明の受光部を示す図である。
【図８】実施例２における本発明の他の受光部を示す図である。
【図９】実施例３における本発明の受光部を示す図である。
【図１０】実施例３における本発明の他の受光部を示す図である。
【図１１】実施例４における本発明の受光部を示す図である。
【図１２】実施例４における本発明の他の受光部を示す図である。
【図１３】実施例５における本発明の回折格子を示す図である。
【図１４】実施例５における本発明の受光部を示す図である。
【図１５】実施例５における２層ディスクを記録／再生時の迷光の形状（検出器上）を示す図である。
【図１６】実施例５における本発明の他の回折格子を示す図である。
【図１７】実施例５における本発明の他の受光部を示す図である。
【図１８】実施例６における本発明の受光部を示す図である。
【図１９】実施例６における本発明の他の受光部を示す図である。
【図２０】実施例７における光学的再生装置を説明する図である。
【図２１】実施例８における光学的記録再生装置を説明する図である。
【発明を実施するための形態】
【実施例１】
【００１４】
図１は本発明の第１の実施例に係る光ピックアップ装置の光学系を示したものである。ここではＢＤ（Ｂｌｕ−ｒａｙ  Ｄｉｓｃ）について説明するが、ＤＶＤ（Ｄｉｇｉｔａｌ  Ｖｅｒｓａｔｉｌｅ  Ｄｉｓｃ）や他の記録方式であってもなんら構わない。なお、以下の説明において、光ディスクの層には、記録型光ディスクにおける記録層や、再生専用の光ディスクの再生層が含まれる。
【００１５】
半導体レーザ５０からは、波長略４０５ｎｍの光ビームが発散光として出射される。半導体レーザ５０から出射した光ビームはビームスプリッタ５２を反射する。なお一部の光ビームはビームスプリッタ５２を透過しフロントモニタ５３に入射する。一般的に記録型の光ディスクに情報を記録する場合には、光ディスクの情報記録面（記録層）に所定の光量を照射させるため、半導体レーザの光量を高精度に制御する必要がある。このため、フロントモニタ５３は記録型の光ディスクに信号を記録する際に、半導体レーザ５０の光量の変化を検出し、半導体レーザ５０の駆動回路（図示せず）にフィードバックされる。これにより光ディスク上の光量をモニタすることが可能となる。
【００１６】
ビームスプリッタ５２を反射した光ビームはコリメートレンズ５１により略平行な光ビームに変換される。コリメートレンズ５１を透過した光ビームはビームエキスパンダ５４に入射する。ビームエキスパンダ５４は、光ビームの発散・収束状態を変えることで、光ディスクのカバー層の厚み誤差による球面収差を補償することに使用される。ビームエキスパンダ５４を出射した光ビームは立ち上げミラー５５を反射、１／４波長板５６を透過後、アクチュエータ５に搭載された対物レンズ２により光ディスク上に集光される。
【００１７】
光ディスクを反射した光ビームは、対物レンズ２、１／４波長板５６、立ち上げミラー５５、ビームエキスパンダ５４、コリメートレンズ５１、ビームスプリッタ５２を透過し、回折格子１１に入射する。回折格子１１により光ビームは複数の領域に分割されて、領域ごとにそれぞれ異なった方向に進行し、光検出器１０上に焦点を結ぶ。光検出器１０上には複数の受光部が形成されており、それぞれの受光部には回折格子１１によって分割された光ビームが照射される。受光部に照射された光量に応じて光検出器１０から電気信号が出力され、これらの出力を演算して再生信号であるＲＦ信号やフォーカス誤差信号やトラッキング誤差信号が生成される。
【００１８】
ここで、最初にトラッキング誤差信号検出について説明を行う。一般的なトラッキング誤差信号検出方法として、ディスク上に３つの光ビームを照射する３ビーム差動プッシュプル方式（ＤＰＰ：Ｄｉｆｆｅｒｅｎｔｉａｌ  Ｐｕｓｈ  Ｐｕｌｌ方式）が知られている。この３ビームＤＰＰ方式は、回折格子によって光ビームをメインビーム（０次回折光）とサブビーム＋１次回折光、サブビーム−１次回折光に分割し、ディスク上に３つのスポットを形成する。このとき、３つのスポットのディスク反射光を検出し、メインビーム（０次回折光）から得られるメインプッシュプル（ＭＰＰ）信号とサブビーム＋１次回折光とサブビーム−１次回折光から得られるサブプッシュプル（ＳＰＰ）信号を以下の演算を行うことで対物レンズの変位に伴うＤＣ成分を低減した３ビームＤＰＰ信号を検出している。
【００１９】
【数１】
2011159352.tif 000003
なお、ｋはメインビームとサブビームの光量比を補正する係数である。
【００２０】
ところが、３ビームＤＰＰ方式は２層およびそれ以上の記録層を有する光ディスクを再生した場合に問題が発生する。これについて最も簡単な２層ディスクで説明を行う。
【００２１】
２層ディスクは記録層が２層存在する光ディスクであり、それぞれの記録層で反射光が発生する。このため、２層ディスクでは光ビームは光ディスクによって２つに分離され、２つの光路を辿って検出器に入射する。例えば片方の層に焦点を合わせた場合、その光ビームは検出器面上にスポット（信号光）を形成し、もう片方の層を反射した光ビーム（迷光）が検出器上にぼけた状態で入射する。この時、検出器上ではそれぞれの層を反射した信号光と迷光とが検出器面上で重なり合い、干渉が発生する。本来、周波数の同じレーザを出射したビームは時間的に変化しないが、光ディスクの回転により層の間隔が変化するため、２つの光の位相関係が時間的に変化し、トラッキング誤差信号であるＤＰＰ信号の変動を引き起こす。この３ビームＤＰＰ信号の変動は主にＳＰＰ信号に大きく起因している。これは、メインビーム（０次回折光）とサブビーム＋１次回折光とサブビーム−１次回折光の光量比が一般的に１０：１：１〜２０：１：１であり、メインビームに対してサブビームの光量が小さいため、サブビームの信号光とメインビームの迷光との干渉が光量の小さいサブビームの信号光に対して大きく発生してしまうのである。これにより、ＳＰＰ信号が大きく変動してしまい、結果としてトラッキング誤差信号である３ビームＤＰＰ信号が大きく変動してしまうのである。トラッキング誤差信号の変動が発生すると、光ディスク上のスポットがトラックに沿って追従できなくなり、主に記録／再生性能劣化の問題が起こる。
【００２２】
この問題に対し、非特許文献１（特許文献２）では光ディスク上に１つのスポットを形成し、その反射光を複数の領域に分けることで信号光と迷光を分離して検出している。これによりトラッキング誤差信号を検出する受光部に迷光が入射しないため、安定したトラッキング誤差信号を検出することが可能となっている。しかし、フォーカス誤差信号検出用受光部の周囲に生じるフォーカス用光ビームの迷光の外側にトラッキング誤差信号検出用光受光部を配置する構成にしているため、光検出器のサイズが大きくなることに伴うピックアップ装置のサイズの課題やコストの課題が発生する。さらに、迷光の外側で信号光を検出する構成は、多層ディスクにはさらに不利な構成となる。
【００２３】
これに対し本実施例では、迷光の内側で信号光を検出する構成とするため、２層だけでなく多層ディスクに容易に対応することが可能である。
【００２４】
図２は、本実施例の回折格子１１の形状を示している。実線は領域の境界線を示し、２点鎖線はレーザ光の光ビームの外形を示し、斜線部は光ディスクのトラックによって回折された０次回折光と±１次回折光との干渉領域（プッシュプルパターン）を示している。回折格子１１は、ディスク上のトラックを回折した回折光の０次回折光のみが入射する領域Ｄｅ、Ｄｆ、Ｄｇ、Ｄｈ（領域Ａ）と、回折光の０次回折光、±１次光が入射する領域Ｄａ、Ｄｂ、Ｄｃ、Ｄｄ（領域Ｂ）と、領域Ｄｉ（領域Ｃ）で形成されている。
【００２５】
回折格子１１の分光比は例えば０次光：＋１次光：−１次光＝０：７：３であるとする。光検出器１０は、図３のようなパターンになっている。なお、図中において信号光を黒点で示している。ここで、回折格子１１の領域Ｄａ、Ｄｂ、Ｄｃ、Ｄｄ、Ｄｅ、Ｄｆ、Ｄｇ、Ｄｈ、Ｄｉを回折した＋１次光はそれぞれ、図３に示す光検出器の受光部ａ１、ｂ１、ｃ１、ｄ１、ｅ１、ｆ１、ｇ１、ｈ１、ｉ１に入射する。また、領域Ｄａ、Ｄｂ、Ｄｃ、Ｄｄを回折した−１次光は、フォーカス誤差信号検出用の受光部ｒ、ｓ、ｔ、ｕ、ｖに入射し、領域Ｄｅ、Ｄｆ、Ｄｇ、Ｄｈを回折した−１次光はそれぞれ、受光部ｅ２、ｆ２、ｇ２、ｈ２に入射する。受光部ａ１とｂ１とｅ１とｆ１、ｃ１とｄ１とｇ１とｈ１が結線されており、受光部ａ１とｂ１とｅ１とｆ１、ｃ１とｄ１とｇ１とｈ１に入射した光ビームはそれぞれ信号Ａ、Ｂの電気信号に変換される。本実施例における光ピックアップ装置は、受光部ａ１とｂ１とｅ１とｆ１、ｃ１とｄ１とｇ１とｈ１を結線することを大きな特徴としている。
【００２６】
また、受光部ｉ１、ｒ、ｓ、ｔ、ｕ、ｖ、ｅ２、ｆ２、ｇ２、ｈ２に入射した光ビームはそれぞれＩ１、Ｒ、Ｓ、Ｔ、Ｕ、Ｖ、Ｅ、Ｆ、Ｇ、Ｈの電気信号に変換される。これらの電気信号を以下の演算を行うことでフォーカス誤差信号（ＦＥＳ）、トラッキング誤差信号（ＴＥＳ）、ＲＦ信号を生成する。
【００２７】
【数２】
2011159352.tif 000004
なお、ｋｔは対物レンズが変位した際にトラッキング誤差信号でＤＣ成分を発生させないようにする係数である。ここで、フォーカス誤差検出方式はナイフエッジ方式である。
【００２８】
図４に２層ディスク記録／再生時の信号光および他層からの迷光の関係を示す。（ａ）はＬ０記録／再生時、（ｂ）はＬ１記録／再生時を示している。回折格子１１のＤｉ領域を回折した光ビーム以外は、受光部上で信号光と他層からの迷光が重なりあっていないことがわかる。ただし、受光部ｉ１から検出された信号Ｉ１は、トラッキング誤差信号の検出に使用せず、再生信号の検出のみに用いているので迷光があっても実用上問題とならない。本実施例では、回折格子に入射した光ビームのうち、回折格子領域Ｄｅ、Ｄｆ、Ｄｇ、Ｄｈ（領域Ａ）に入射した光ビームは、受光部をディスク半径方向に相当する方向に並べることで、他層からの迷光をディスク接線方向に避けている。またＤａ、Ｄｂ、Ｄｃ、Ｄｄ（領域Ｂ）に入射した光ビームは、受光部をディスク接線方向に相当する方向に並べることで、他層からの迷光をディスク半径方向に避けている。
【００２９】
本実施例のように、他層からの迷光を受光部の外側に配置することで、信号光と迷光の重なりを無くし、信号光と迷光の干渉による変動がないトラッキング誤差信号を検出することができる。また、他層からの迷光を外側に配置することから光検出器を小型にすることが可能となる。
【００３０】
次に本実施例の大きな特徴である信号検出方法について説明を行う。光ピックアップ装置では、再生信号であるＲＦ信号のＳ／Ｎの観点から、光検出器のＲＦ信号検出用のアンプ数を減らす課題がある。光検出器では、電気信号に変換する際に信号の増幅に伴ったノイズ成分が発生する。このため、光検出器のＲＦ信号検出用のアンプ数が増加すると、アンプ数に応じたノイズが発生する。このノイズが再生性能を劣化させる。特に、多層ディスクなどでは、光ディスクから反射する光量が小さくなるため、ノイズを低減することは非常に重要となる。このため、本実施例では受光部ａ１とｂ１とｅ１とｆ１、ｃ１とｄ１とｇ１とｈ１を結線し、結線した信号をアンプすることでアンプ数を低減し、その結果、ノイズを低減している。しかし、例えば本実施例とは異なり、回折格子の中央分割線に対して同じ領域同士の信号を結線しても同様のＳ／Ｎが得られることは容易に類推できる。そこで、本実施例のもう一つの効果について説明を行う。本実施例では、再生性能を重視するため回折格子１１の分光比を０次光：＋１次光：−１次光＝０：７：３とした。この場合には、−１次光は＋1次光に対し、光量が小さいことから外乱や回折格子の領域間の分光比ずれや受光部の受光感度ずれに弱い。このため、トラッキング誤差信号において係数ｋｔを小さくしたい要求がある。しかし、例えば同じＳ／Nを確保するために回折格子の中央分割線に対して同じ領域同士の信号を結線すると同じ領域の信号成分をさらに差引くひつようがあるため、係数ｋｔは大きくなってしまう。これでは再生性能は満足するもののトラッキング誤差信号性能が劣化してしまうことが懸念される。それに対し、本実施例は、回折格子の中央分割線に対して反対の領域同士の信号を結線していることから回折格子の中央分割線に対して同じ領域同士の信号を結線する場合に比べ、係数ｋｔが小さくなる。これにより、安定したトラッキング誤差信号が得られるのである。
【００３１】
以上のように本実施例における光ピックアップ装置は、回折格子の中心を通り、ディスク接線方向に伸びる分割線に対し、中央領域を除く片側の回折格子領域から回折した光ビームを検出する受光部を結線し、もう片側も同様に結線することでＳ／Ｎを向上することが可能となっている。
【００３２】
本実施例では、回折格子１１は図２で説明を行ったが図５（ａ）、（ｂ）のようなパターンであっても同様の効果が得られることは言うまでもない。また本実施例では、回折格子領域ＤａとＤｂ、ＤｃとＤｄを分割したが、分割しなくとも同様の効果が得られることは言うまでもない。また、図３の受光部ｅ１とｆ１、ｇ１とｈ１は受光部を結線したが、必ずしも２つの受光部に分ける必要はなく、１つの受光部であっても問題ない。また、図３の受光部パターンは一例であり、例えば図６に示すような受光部パターンであっても良い。加えて、本実施例ではトラッキング誤差信号の受光部に入射する迷光を避ける構成としたが、例えば、トラッキング誤差信号の受光部に迷光が入射した構成であっても、本実施例のように受光部を結線することでＳ／Ｎを向上している構成であれば、本実施例と同様であることは言うまでもない。
【００３３】
さらに、本実施例では回折格子１１はビームスプリッタ透過後に配置したが、回折格子１１を偏光回折格子とし、ビームスプリッタ透過前に配置しても同様の効果が得られることは言うまでもない。また、球面収差補正方式については限定されないことは言うまでもない。さらに、回折格子の分光比は一例であって、例えば０次光：＋１次光：−１次光＝０：１：１であっても良いことは言うまでもない。また、トラッキング誤差信号のＤＰＤ方式については説明しなかったが例えば、−１次光の信号Ｅ、Ｆ、Ｇ、Ｈの位相差から検出しても良い。さらに、光ピックアップ装置の出力ピン数の観点から受光部ｅ２とｆ２、ｇ２とｈ２を結線しても良い。また、Ｄｉ領域を回折した−１次光については説明しなかったが例えば、Ｄｉ領域を回折した−１次光を検出する受光部Ｄｉ２を配置し、Ｄｉ１と結線することで、ＲＦ信号検出用のアンプ数を増やさずに再生信号に加算しても良いことは言うまでもない。また、本実施例は回折格子の中央分割線に対して反対の領域同士の信号を結線することが特徴であるため、例えば図３の場合には受光部ｅ１とｆ１、ｇ１とｈ１を同じ受光部で検出しても良いし、図７の場合には受光部ａ１とｂ１、ｃ１とｄ１を同じ受光部で検出しても良い。
【実施例２】
【００３４】
図７は本発明の第２の実施例に係る光ピックアップ装置の光検出器の受光部を示したものである。実施例１との違いは受光部の結線方法が異なることであり、それ以外は実施例１と同様の構成である。
【００３５】
ここで、図２に示す回折格子１１の領域Ｄａ、Ｄｂ、Ｄｃ、Ｄｄ、Ｄｅ、Ｄｆ、Ｄｇ、Ｄｈ、Ｄｉを回折した＋１次光はそれぞれ、図７に示す光検出器の受光部ａ１、ｂ１、ｃ１、ｄ１、ｅ１、ｆ１、ｇ１、ｈ１、ｉ１に入射する。また、領域Ｄａ、Ｄｂ、Ｄｃ、Ｄｄを回折した−１次光は、フォーカス誤差信号検出用の受光部ｒ、ｓ、ｔ、ｕ、ｖに入射し、領域Ｄｅ、Ｄｆ、Ｄｇ、Ｄｈを回折した−１次光はそれぞれ、受光部ｅ２、ｆ２、ｇ２、ｈ２に入射する。
【００３６】
受光部ａ１とｂ１とｇ１とｈ１、ｃ１とｄ１とｅ１とｆ１は結線されており、受光部ａ１とｂ１とｇ１とｈ１、ｃ１とｄ１とｅ１とｆ１に入射した光ビームはそれぞれ信号Ａ、Ｂの電気信号に変換される。また、受光部ｉ１、ｒ、ｓ、ｔ、ｕ、ｖ、ｅ２、ｆ２、ｇ２、ｈ２に入射した光ビームはそれぞれＩ１、Ｒ、Ｓ、Ｔ、Ｕ、Ｖ、Ｅ、Ｆ、Ｇ、Ｈの電気信号に変換される。これらの電気信号を以下の演算を行うことでフォーカス誤差信号（ＦＥＳ）、トラッキング誤差信号（ＴＥＳ）、ＲＦ信号を生成する。
【００３７】
【数２】
2011159352.tif 000005
なお、ｋｔは対物レンズが変位した際にトラッキング誤差信号でＤＣ成分を発生させないようにする係数である。ここで、フォーカス誤差検出方式はナイフエッジ方式である。
【００３８】
なお、本実施例における光ピックアップ装置は実施例１と検出器上でのスポットが同様の配置であるため、回折格子１１の領域Ｄｉを回折した光ビーム以外は、２層ディスク記録／再生時の他層からの迷光が受光部に入射しない。ただし、受光部ｉ０から検出された信号Ｉ０は、トラッキング誤差信号の検出に使用せず、再生信号に用いているので迷光があっても実用上問題とならない。
【００３９】
本実施例における光ピックアップ装置は、実施例１とは結線方法が異なっており、受光部ａ１とｂ１とｇ１とｈ１、ｃ１とｄ１とｅ１とｆ１は結線し、結線した信号をアンプすることでアンプ数を低減し、その結果ノイズを低減している。
【００４０】
以上のように本実施例における光ピックアップ装置は、ディスク上のトラックを回折した回折光の０次回折光のみが入射する回折格子領域Ａと、回折光の０次回折光、±１次光が入射する回折格子領域Ｂを回折格子の中心を通り、ディスク接線方向に伸びる分割線で分割し、領域Ａの片側と分割線に対して反対側の領域Ｂを回折した光ビームを検出する受光部を結線することでＳ／Ｎを向上することが可能となっている。また実施例１同様に本実施例は、回折格子の中央分割線に対して反対の領域同士の信号を結線していることから回折格子の中央分割線に対して同じ領域同士の信号を結線する場合に比べ、係数ｋｔが小さくなる。これにより、安定したトラッキング誤差信号が得られるのである。
【００４１】
本実施例では、回折格子１１は図２で説明を行ったが図５（ａ）、（ｂ）のようなパターンであっても同様の効果が得られることは言うまでもない。また本実施例では、回折格子領域ＤａとＤｂ、ＤｃとＤｄを分割したが、分割しなくとも同様の効果が得られることは言うまでもない。また、例えば、図７の受光部ｅ１とｆ１、ｇ１とｈ１は受光部を結線したが、必ずしも２つの受光部に分ける必要はなく、１つの受光部であっても問題ない。また、図７の受光部パターンは一例であり、例えば図８に示すような受光部パターンであっても良い。加えて、本実施例ではトラッキング誤差信号の受光部に入射する迷光を避ける構成としたが、例えば、トラッキング誤差信号の受光部に迷光が入射した構成であっても、本実施例のように受光部を結線することでＳ／Ｎを向上している構成であれば、本実施例と同様であることは言うまでもない。
【００４２】
さらに、本実施例では回折格子１１はビームスプリッタ透過後に配置したが、回折格子１１を偏光回折格子とし、ビームスプリッタ透過前に配置しても同様の効果が得られることは言うまでもない。また、球面収差補正方式については限定されないことは言うまでもない。さらに、回折格子の分光比は一例であって、例えば０次光：＋１次光：−１次光＝０：１：１であっても良いことは言うまでもない。また、トラッキング誤差信号のＤＰＤ方式については説明しなかったが例えば、−１次光の信号Ｅ、Ｆ、Ｇ、Ｈの位相差から検出しても良い。さらに、光ピックアップ装置の出力ピン数の観点から受光部ｅ２とｆ２、ｇ２とｈ２を結線しても良い。また、Ｄｉ領域を回折した−１次光については説明しなかったが例えば、Ｄｉ領域を回折した−１次光を検出する受光部Ｄｉ２を配置し、Ｄｉ１と結線することで、ＲＦ信号検出用のアンプ数を増やさずに再生信号に加算しても良いことは言うまでもない。また、本実施例は回折格子の中央分割線に対して反対の領域同士の信号を結線することが特徴であるため、例えば図７の場合には受光部ｅ１とｆ１、ｇ１とｈ１を同じ受光部で検出しても良いし、図８の場合には受光部ａ１とｂ１、ｃ１とｄ１を同じ受光部で検出しても良い。
【実施例３】
【００４３】
図９は本発明の第３の実施例に係る光ピックアップ装置の光検出器の受光部を示したものである。実施例１との違いは回折格子の分光比および受光部が異なることであり、それ以外は実施例１と同様の構成である。
【００４４】
回折格子１１の領域Ｄｉ以外の分光比は例えば０次光：＋１次光：−１次光＝０：７：３であり、領域Ｄｉは０次光：＋１次光：−１次光＝０：１：１とする。ここで、回折格子１１の領域Ｄａ、Ｄｂ、Ｄｃ、Ｄｄ、Ｄｅ、Ｄｆ、Ｄｇ、Ｄｈ、Ｄｉを回折した＋１次光はそれぞれ、図９に示す光検出器の受光部ａ１、ｂ１、ｃ１、ｄ１、ｅ１、ｆ１、ｇ１、ｈ１、ｉ１に入射する。また、領域Ｄａ、Ｄｂ、Ｄｃ、Ｄｄを回折した−１次光は、フォーカス誤差信号検出用の受光部ｒ、ｓ、ｔ、ｕ、ｖに入射し、領域Ｄｅ、Ｄｆ、Ｄｇ、Ｄｈ、Ｄｉを回折した−１次光はそれぞれ、受光部ｅ２、ｆ２、ｇ２、ｈ２、ｉ２に入射する。受光部ａ１とｂ１とｅ１とｆ１とｉ１、ｃ１とｄ１とｇ１とｈ１とｉ２が結線されており、受光部ａ１とｂ１とｅ１とｆ１とｉ１、ｃ１とｄ１とｇ１とｈ１とｉ２に入射した光ビームはそれぞれ信号Ａ、Ｂの電気信号に変換される。本実施例における光ピックアップ装置は、受光部ａ１とｂ１とｅ１とｆ１とｉ１、ｃ１とｄ１とｇ１とｈ１とｉ２を結線することを大きな特徴としている。
【００４５】
また、受光部ｒ、ｓ、ｔ、ｕ、ｖ、ｅ２、ｆ２、ｇ２、ｈ２に入射した光ビームはそれぞれＲ、Ｓ、Ｔ、Ｕ、Ｖ、Ｅ、Ｆ、Ｇ、Ｈの電気信号に変換される。これらの電気信号を以下の演算を行うことでフォーカス誤差信号（ＦＥＳ）、トラッキング誤差信号（ＴＥＳ）、ＲＦ信号を生成する。
【００４６】
【数３】
2011159352.tif 000006
なお、ｋｔは対物レンズが変位した際にトラッキング誤差信号でＤＣ成分を発生させないようにする係数である。ここで、フォーカス誤差検出方式はナイフエッジ方式である。
【００４７】
ここで、受光部ａ１とｂ１とｅ１とｆ１とｉ１、ｃ１とｄ１とｇ１とｈ１とｉ２を結線することで、ＲＦ信号を生成するためのアンプ数を少なくすることができる。このように、アンプ数を少なくすることで、受光部に入射した光ビームを電気信号に変換する際に発生するノイズを低減することが可能となる。特に、多層ディスクなどでは、光ディスクから反射する光量が小さくなるため、ノイズを低減することは非常に重要となる。このため、本実施例における光ピックアップ装置は受光部を結線することでノイズを低減している。ここで、回折格子に入射する光に対して回折格子領域Ｄｉを回折した光ビームはそれ以外の領域を回折した光ビームよりも大きな割合の光量を検出する構成となっているが実用上問題とはならない。
【００４８】
なお、本実施例における光ピックアップ装置は検出器上でのスポットが実施例１とほとんど同様の配置であるため、回折格子１１の領域Ｄｉを回折した光ビーム以外は、２層ディスク記録／再生時の他層からの迷光が受光部に入射しない。ただし、受光部ｉ１、ｉ２から検出された信号Ｉ１、Ｉ２は、トラッキング誤差信号の検出に使用するものの、３ビームＤＰＰ方式のように光量の小さい信号が光量の大きな迷光と干渉する訳ではないため、迷光があっても実用上問題とならない。
【００４９】
以上のように本実施例における光ピックアップ装置は、回折格子の中心を通り、ディスク接線方向に伸びる分割線に対し、中央領域を除く片側の回折格子領域から回折した光ビームを検出する受光部と中央領域を回折した光ビームを検出する受光部を結線し、もう片側も同様に結線することでＳ／Ｎを向上することが可能となっている。また実施例１同様に本実施例は、回折格子の中央分割線に対して反対の領域同士の信号を結線していることから回折格子の中央分割線に対して同じ領域同士の信号を結線する場合に比べ、係数ｋｔが小さくなる。これにより、安定したトラッキング誤差信号が得られるのである。
【００５０】
本実施例では、回折格子１１は図２で説明を行ったが図５（ａ）、（ｂ）のようなパターンであっても同様の効果が得られることは言うまでもない。また本実施例では、回折格子領域ＤａとＤｂ、ＤｃとＤｄを分割したが、分割しなくとも同様の効果が得られることは言うまでもない。また、例えば、図９の受光部ｅ１とｆ１、ｇ１とｈ１は受光部を結線したが、必ずしも２つの受光部に分ける必要はなく、１つの受光部であっても問題ない。また、図９の受光部パターンは一例であり、例えば図１０に示すような受光部パターンであっても良い。加えて、本実施例ではトラッキング誤差信号の受光部に入射する迷光を避ける構成としたが、例えば、トラッキング誤差信号の受光部に迷光が入射した構成であっても、本実施例のように受光部を結線することでＳ／Ｎを向上している構成であれば、本実施例と同様であることは言うまでもない。
【００５１】
さらに、本実施例では回折格子１１はビームスプリッタ透過後に配置したが、回折格子１１を偏光回折格子とし、ビームスプリッタ透過前に配置しても同様の効果が得られることは言うまでもない。また、球面収差補正方式については限定されないことは言うまでもない。さらに、回折格子の分光比は一例であって、例えば回折格子の全ての領域が０次光：＋１次光：−１次光＝０：１：１であっても良いことは言うまでもない。また、トラッキング誤差信号のＤＰＤ方式については説明しなかったが例えば、−１次光の信号Ｅ、Ｆ、Ｇ、Ｈの位相差から検出しても良い。さらに、光ピックアップ装置の出力ピン数の観点から受光部ｅ２とｆ２、ｇ２とｈ２を結線しても良い。また、本実施例は回折格子の中央分割線に対して反対の領域同士の信号を結線することが特徴であるため、例えば図９の場合には受光部ｅ１とｆ１、ｇ１とｈ１を同じ受光部で検出しても良いし、図１０の場合には受光部ａ１とｂ１、ｃ１とｄ１を同じ受光部で検出しても良い。
【実施例４】
【００５２】
図１１は本発明の第４の実施例に係る光ピックアップ装置の光検出器の受光部を示したものである。実施例１との違いは回折格子の分光比および受光部が異なることであり、それ以外は実施例１と同様の構成である。
【００５３】
回折格子１１の領域Ｄｉ以外の分光比は例えば０次光：＋１次光：−１次光＝０：７：３であり、領域Ｄｉは０次光：＋１次光：−１次光＝０：１：１とする。ここで、回折格子１１の領域Ｄａ、Ｄｂ、Ｄｃ、Ｄｄ、Ｄｅ、Ｄｆ、Ｄｇ、Ｄｈ、Ｄｉを回折した＋１次光はそれぞれ、図１１に示す光検出器の受光部ａ１、ｂ１、ｃ１、ｄ１、ｅ１、ｆ１、ｇ１、ｈ１、ｉ１に入射する。また、領域Ｄａ、Ｄｂ、Ｄｃ、Ｄｄを回折した−１次光は、フォーカス誤差信号検出用の受光部ｒ、ｓ、ｔ、ｕ、ｖに入射し、領域Ｄｅ、Ｄｆ、Ｄｇ、Ｄｈ、Ｄｉを回折した−１次光はそれぞれ、受光部ｅ２、ｆ２、ｇ２、ｈ２、ｉ２に入射する。
【００５４】
受光部ａ１とｂ１とｇ１とｈ１とｉ１、ｃ１とｄ１とｅ１とｆ１とｉ２は結線されており、受光部ａ１とｂ１とｇ１とｈ１とｉ１、ｃ１とｄ１とｅ１とｆ１とｉ２に入射した光ビームはそれぞれ信号Ａ、Ｂの電気信号に変換される。また、受光部ｒ、ｓ、ｔ、ｕ、ｖ、ｅ２、ｆ２、ｇ２、ｈ２に入射した光ビームはそれぞれＲ、Ｓ、Ｔ、Ｕ、Ｖ、Ｅ、Ｆ、Ｇ、Ｈの電気信号に変換される。これらの電気信号を以下の演算を行うことでフォーカス誤差信号（ＦＥＳ）、トラッキング誤差信号（ＴＥＳ）、ＲＦ信号を生成する。
【００５５】
【数２】
2011159352.tif 000007
なお、ｋｔは対物レンズが変位した際にトラッキング誤差信号でＤＣ成分を発生させないようにする係数である。ここで、フォーカス誤差検出方式はナイフエッジ方式である。
【００５６】
ここで、受光部ａ１とｂ１とｈ１とｇ１とｉ１、ｃ１とｄ１とｅ１とｆ１とｉ２を結線することで、ＲＦ信号を生成するためのアンプ数を少なくすることができる。このように、アンプ数を少なくすることで、受光部に入射した光ビームを電気信号に変換する際に発生するノイズを低減することが可能となる。特に、多層ディスクなどでは、光ディスクから反射する光量が小さくなるため、ノイズを低減することは非常に重要となる。このため、本実施例における光ピックアップ装置は受光部を結線することでノイズを低減している。ここで、回折格子に入射する光に対して回折格子領域Ｄｉを回折した光ビームはそれ以外の領域を回折した光ビームよりも大きな割合の光量を検出する構成となっているが実用上問題とはならない。
【００５７】
なお、本実施例における光ピックアップ装置は検出器上でのスポットが実施例１とほとんど同様の配置であるため、回折格子１１の領域Ｄｉを回折した光ビーム以外は、２層ディスク記録／再生時の他層からの迷光が受光部に入射しない。ただし、受光部ｉ１、ｉ２から検出された信号Ｉ１、Ｉ２は、トラッキング誤差信号の検出に使用するものの、３ビームＤＰＰ方式のように光量の小さい信号光が光量の大きな迷光と干渉する訳ではないため、迷光があっても実用上問題とならない。
【００５８】
以上のように本実施例における光ピックアップ装置は、ディスク上のトラックを回折した回折光の０次回折光のみが入射する回折格子領域Ａと、回折光の０次回折光、±１次光が入射する回折格子領域Ｂを回折格子の中心を通り、ディスク接線方向に伸びる分割線で分割し、領域Ａの片側と分割線に対して反対側の領域Ｂを回折した光ビームを検出する受光部を結線することでＳ／Ｎを向上することが可能となっている。また実施例１同様に本実施例は、回折格子の中央分割線に対して反対の領域同士の信号を結線していることから回折格子の中央分割線に対して同じ領域同士の信号を結線する場合に比べ、係数ｋｔが小さくなる。これにより、安定したトラッキング誤差信号が得られるのである。
【００５９】
本実施例では、回折格子１１は図２で説明を行ったが図５（ａ）、（ｂ）のようなパターンであっても同様の効果が得られることは言うまでもない。また本実施例では、回折格子領域ＤａとＤｂ、ＤｃとＤｄを分割したが、分割しなくとも同様の効果が得られることは言うまでもない。また、例えば、図１１の受光部ｅ１とｆ１、ｇ１とｈ１は受光部を結線したが、必ずしも２つの受光部に分ける必要はなく、１つの受光部であっても問題ない。また、図１１の受光部パターンは一例であり、例えば図１２に示すような受光部パターンであっても良い。加えて、本実施例ではトラッキング誤差信号の受光部に入射する迷光を避ける構成としたが、例えば、トラッキング誤差信号の受光部に迷光が入射した構成であっても、本実施例のように受光部を結線することでＳ／Ｎを向上している構成であれば、本実施例と同様であることは言うまでもない。
【００６０】
さらに、本実施例では回折格子１１はビームスプリッタ透過後に配置したが、回折格子１１を偏光回折格子とし、ビームスプリッタ透過前に配置しても同様の効果が得られることは言うまでもない。また、球面収差補正方式については限定されないことは言うまでもない。さらに、回折格子の分光比は一例であって、例えば回折格子の全ての領域が０次光：＋１次光：−１次光＝０：１：１であっても良いことは言うまでもない。また、トラッキング誤差信号のＤＰＤ方式については説明しなかったが例えば、−１次光の信号Ｅ、Ｆ、Ｇ、Ｈの位相差から検出しても良い。さらに、光ピックアップ装置の出力ピン数の観点から受光部ｅ２とｆ２、ｇ２とｈ２を結線しても良い。また、本実施例は回折格子の中央分割線に対して反対の領域同士の信号を結線することが特徴であるため、例えば図１１の場合には受光部ｅ１とｆ１、ｇ１とｈ１を同じ受光部で検出しても良いし、図１２の場合には受光部ａ１とｂ１、ｃ１とｄ１を同じ受光部で検出しても良い。
【実施例５】
【００６１】
図１４は本発明の第５の実施例に係る光ピックアップ装置の光検出器の受光部を示したものである。実施例１との違いは回折格子および受光部が異なることであり、それ以外は実施例１と同様の構成である。
【００６２】
図１３は、回折格子１１の形状を示している。実線は領域の境界線を示し、２点鎖線はレーザ光の光ビームの外形を示し、斜線部は光ディスクのトラックによって回折された０次回折光と±１次回折光との干渉領域（プッシュプルパターン）を示している。回折格子１１は、ディスク上のトラックを回折した回折光の０次回折光のみが入射する領域Ｄｅ、Ｄｆ、Ｄｇ、Ｄｈ（領域Ａ）と、回折光の０次回折光、±１次光が入射する領域Ｄａ、Ｄｂ、Ｄｃ、Ｄｄ（領域Ｂ）と、領域Ｄｉ１、Ｄｉ２、Ｄｉ３、Ｄｉ４（領域Ｃ）で形成されている。
【００６３】
回折格子１１の分光比は例えば０次光：＋１次光：−１次光＝０：７：３であるとする。光検出器１０は、図１４のようなパターンになっている。なお、図中において信号光を黒点で示している。ここで、回折格子１１の領域Ｄａ、Ｄｂ、Ｄｃ、Ｄｄ、Ｄｅ、Ｄｆ、Ｄｇ、Ｄｈ、Ｄｉ１とＤｉ３、Ｄｉ２とＤｉ４を回折した＋１次光はそれぞれ、図３に示す光検出器の受光部ａ１、ｂ１、ｃ１、ｄ１、ｅ１、ｆ１、ｇ１、ｈ１、ｉ１３、ｉ２４に入射する。また、領域Ｄａ、Ｄｂ、Ｄｃ、Ｄｄを回折した−１次光は、フォーカス誤差信号検出用の受光部ｒ、ｓ、ｔ、ｕ、ｖに入射し、領域Ｄｅ、Ｄｆ、Ｄｇ、Ｄｈを回折した−１次光はそれぞれ、受光部ｅ２、ｆ２、ｇ２、ｈ２に入射する。受光部ａ１とｂ１とｅ１とｆ１とｉ１３、ｃ１とｄ１とｇ１とｈ１とｉ２４が結線されており、受光部ａ１とｂ１とｅ１とｆ１とｉ１３、ｃ１とｄ１とｇ１とｈ１とｉ２４に入射した光ビームはそれぞれ信号Ａ、Ｂの電気信号に変換される。本実施例における光ピックアップ装置は、受光部ａ１とｂ１とｅ１とｆ１とｉ１３、ｃ１とｄ１とｇ１とｈ１とｉ２４を結線することを大きな特徴としている。
【００６４】
また、受光部ｒ、ｓ、ｔ、ｕ、ｖ、ｅ２、ｆ２、ｇ２、ｈ２に入射した光ビームはそれぞれＲ、Ｓ、Ｔ、Ｕ、Ｖ、Ｅ、Ｆ、Ｇ、Ｈの電気信号に変換される。これらの電気信号を以下の演算を行うことでフォーカス誤差信号（ＦＥＳ）、トラッキング誤差信号（ＴＥＳ）、ＲＦ信号を生成する。
【００６５】
【数３】
2011159352.tif 000008
なお、ｋｔは対物レンズが変位した際にトラッキング誤差信号でＤＣ成分を発生させないようにする係数である。ここで、フォーカス誤差検出方式はナイフエッジ方式である。
【００６６】
図１５に２層ディスク記録／再生時の信号光および他層からの迷光の関係を示す。（ａ）はＬ０記録／再生時、（ｂ）はＬ１記録／再生時を示している。回折格子１１のＤｉ領域を回折した光ビーム以外は、受光部上で信号光と他層からの迷光が重なりあっていないことがわかる。ただし、受光部ｉ１３、ｉ２４から検出された信号Ｉ１３、Ｉ２４は、トラッキング誤差信号の検出に使用するものの、３ビームＤＰＰ方式のように光量の小さい信号が光量の大きな迷光と干渉する訳ではないため、迷光があっても実用上問題とならない。また、本実施例における光ピックアップ装置は回折格子領域Ｄｉ１〜４以外を回折した他層からの迷光を外側に配置することから光検出器を小型にすることが可能となる。
【００６７】
次に本実施例の信号検出方法について説明を行う。光ピックアップ装置では、再生信号であるＲＦ信号のＳ／Ｎの観点から、光検出器のＲＦ信号検出用のアンプ数を減らす課題がある。光検出器では、電気信号に変換する際に信号の増幅に伴ったノイズ成分が発生する。このため、光検出器のＲＦ信号検出用のアンプ数が増加すると、アンプ数に応じたノイズが発生する。このノイズが再生性能を劣化させる。特に、多層ディスクなどでは、光ディスクから反射する光量が小さくなるため、ノイズを低減することは非常に重要となる。このため、本実施例では受光部ａ１とｂ１とｅ１とｆ１とｉ１３、ｃ１とｄ１とｇ１とｈ１とｉ２４を結線し、結線した信号をアンプすることでアンプ数を低減し、その結果、ノイズを低減している。
【００６８】
以上のように本実施例における光ピックアップ装置は、回折格子の中心を通り、ディスク接線方向に伸びる分割線に対し、中央領域を除く片側の回折格子領域から回折した光ビームを検出する受光部を結線し、もう片側も同様に結線することでＳ／Ｎを向上することが可能となっている。また実施例１同様に本実施例は、回折格子の中央分割線に対して反対の領域同士の信号を結線していることから回折格子の中央分割線に対して同じ領域同士の信号を結線する場合に比べ、係数ｋｔが小さくなる。これにより、安定したトラッキング誤差信号が得られるのである。
【００６９】
本実施例では、回折格子１１は図１３で説明を行ったが図１６（ａ）、（ｂ）のようなパターンであっても同様の効果が得られることは言うまでもない。また本実施例では、回折格子領域ＤａとＤｂ、ＤｃとＤｄを分割したが、分割しなくとも同様の効果が得られることは言うまでもない。また、例えば、図１４の受光部ｅ１とｆ１、ｇ１とｈ１は受光部を結線したが、必ずしも２つの受光部に分ける必要はなく、１つの受光部であっても問題ない。また、図１４の受光部パターンは一例であり、例えば図１７に示すような受光部パターンであっても良い。加えて、本実施例ではトラッキング誤差信号の受光部に入射する迷光を避ける構成としたが、例えば、トラッキング誤差信号の受光部に迷光が入射した構成であっても、本実施例のように受光部を結線することでＳ／Ｎを向上している構成であれば、本実施例と同様であることは言うまでもない。
【００７０】
さらに、本実施例では回折格子１１はビームスプリッタ透過後に配置したが、回折格子１１を偏光回折格子とし、ビームスプリッタ透過前に配置しても同様の効果が得られることは言うまでもない。また、球面収差補正方式については限定されないことは言うまでもない。さらに、回折格子の分光比は一例であって、例えば０次光：＋１次光：−１次光＝０：１：１であっても良いことは言うまでもない。また、トラッキング誤差信号のＤＰＤ方式については説明しなかったが例えば、−１次光の信号Ｅ、Ｆ、Ｇ、Ｈの位相差から検出しても良い。さらに、光ピックアップ装置の出力ピン数の観点から受光部ｅ２とｆ２、ｇ２とｈ２を結線しても良い。また、本実施例は回折格子の中央分割線に対して反対の領域同士の信号を結線することが特徴であるため、例えば図１４の場合には受光部ｅ１とｆ１、ｇ１とｈ１を同じ受光部で検出しても良いし、図１７の場合には受光部ａ１とｂ１、ｃ１とｄ１を同じ受光部で検出しても良い。
【実施例６】
【００７１】
図１８は本発明の第６の実施例に係る光ピックアップ装置の光検出器の受光部を示したものである。実施例５との違いは受光部の結線方法が異なることであり、それ以外は実施例１と同様の構成である。
【００７２】
ここで、図１３に示す回折格子１１の領域Ｄａ、Ｄｂ、Ｄｃ、Ｄｄ、Ｄｅ、Ｄｆ、Ｄｇ、Ｄｈ、Ｄｉ１とＤｉ３、Ｄｉ２とＤｉ４を回折した＋１次光はそれぞれ、図１８に示す光検出器の受光部ａ１、ｂ１、ｃ１、ｄ１、ｅ１、ｆ１、ｇ１、ｈ１、ｉ１３、ｉ２４に入射する。また、領域Ｄａ、Ｄｂ、Ｄｃ、Ｄｄを回折した−１次光は、フォーカス誤差信号検出用の受光部ｒ、ｓ、ｔ、ｕ、ｖに入射し、領域Ｄｅ、Ｄｆ、Ｄｇ、Ｄｈを回折した−１次光はそれぞれ、受光部ｅ２、ｆ２、ｇ２、ｈ２に入射する。
【００７３】
受光部ａ１とｂ１とｇ１とｈ１とｉ１３、ｃ１とｄ１とｅ１とｆ１とｉ２４は結線されており、受光部ａ１とｂ１とｇ１とｈ１とｉ１３、ｃ１とｄ１とｅ１とｆ１とｉ２４に入射した光ビームはそれぞれ信号Ａ、Ｂの電気信号に変換される。また、受光部ｒ、ｓ、ｔ、ｕ、ｖ、ｅ２、ｆ２、ｇ２、ｈ２に入射した光ビームはそれぞれＲ、Ｓ、Ｔ、Ｕ、Ｖ、Ｅ、Ｆ、Ｇ、Ｈの電気信号に変換される。これらの電気信号を以下の演算を行うことでフォーカス誤差信号（ＦＥＳ）、トラッキング誤差信号（ＴＥＳ）、ＲＦ信号を生成する。
【００７４】
【数３】
2011159352.tif 000009
なお、ｋｔは対物レンズが変位した際にトラッキング誤差信号でＤＣ成分を発生させないようにする係数である。ここで、フォーカス誤差検出方式はナイフエッジ方式である。
【００７５】
なお、本実施例における光ピックアップ装置は実施例５と検出器上でのスポットが同様の配置であるため、回折格子１１の領域Ｄｉを回折した光ビーム以外は、２層ディスク記録／再生時の他層からの迷光が受光部に入射しない。ただし、受光部ｉ１３、ｉ２４から検出された信号Ｉ１３、Ｉ２４は、トラッキング誤差信号の検出に使用するものの、３ビームＤＰＰ方式のように光量の小さい信号が光量の大きな迷光と干渉する訳ではないため、迷光があっても実用上問題とならない。また、本実施例における光ピックアップ装置は回折格子領域Ｄｉ１〜４以外を回折した他層からの迷光を外側に配置することから光検出器を小型にすることが可能となる。
【００７６】
次に本実施例の信号検出方法について説明を行う。光ピックアップ装置では、再生信号であるＲＦ信号のＳ／Ｎの観点から、光検出器のＲＦ信号検出用のアンプ数を減らす課題がある。光検出器では、電気信号に変換する際に信号の増幅に伴ったノイズ成分が発生する。このため、光検出器のＲＦ信号検出用のアンプ数が増加すると、アンプ数に応じたノイズが発生する。このノイズが再生性能を劣化させる。特に、多層ディスクなどでは、光ディスクから反射する光量が小さくなるため、ノイズを低減することは非常に重要となる。このため、本実施例では受光部ａ１とｂ１とｇ１とｈ１とｉ１３、ｃ１とｄ１とｅ１とｆ１とｉ２４を結線し、結線した信号をアンプすることでアンプ数を低減し、その結果、ノイズを低減している。
【００７７】
以上のように本実施例における光ピックアップ装置は、ディスク上のトラックを回折した回折光の０次回折光のみが入射する回折格子領域Ａと、回折光の０次回折光、±１次光が入射する回折格子領域Ｂを回折格子の中心を通り、ディスク接線方向に伸びる分割線で分割し、領域Ａの片側と分割線に対して反対側の領域Ｂを回折した光ビームを検出する受光部を結線することでＳ／Ｎを向上することが可能となっている。また実施例１同様に本実施例は、回折格子の中央分割線に対して反対の領域同士の信号を結線していることから回折格子の中央分割線に対して同じ領域同士の信号を結線する場合に比べ、係数ｋｔが小さくなる。これにより、安定したトラッキング誤差信号が得られるのである。
【００７８】
本実施例では、回折格子１１は図１３で説明を行ったが図１６（ａ）、（ｂ）のようなパターンであっても同様の効果が得られることは言うまでもない。また本実施例では、回折格子領域ＤａとＤｂ、ＤｃとＤｄを分割したが、分割しなくとも同様の効果が得られることは言うまでもない。また、例えば、図１８の受光部ｅ１とｆ１、ｇ１とｈ１は受光部を結線したが、必ずしも２つの受光部に分ける必要はなく、１つの受光部であっても問題ない。また、図１８の受光部パターンは一例であり、例えば図１９に示すような受光部パターンであっても良い。加えて、本実施例ではトラッキング誤差信号の受光部に入射する迷光を避ける構成としたが、例えば、トラッキング誤差信号の受光部に迷光が入射した構成であっても、本実施例のように受光部を結線することでＳ／Ｎを向上している構成であれば、本実施例と同様であることは言うまでもない。
【００７９】
さらに、本実施例では回折格子１１はビームスプリッタ透過後に配置したが、回折格子１１を偏光回折格子とし、ビームスプリッタ透過前に配置しても同様の効果が得られることは言うまでもない。また、球面収差補正方式については限定されないことは言うまでもない。さらに、回折格子の分光比は一例であって、例えば０次光：＋１次光：−１次光＝０：１：１であっても良いことは言うまでもない。また、トラッキング誤差信号のＤＰＤ方式については説明しなかったが例えば、−１次光の信号Ｅ、Ｆ、Ｇ、Ｈの位相差から検出しても良い。さらに、光ピックアップ装置の出力ピン数の観点から受光部ｅ２とｆ２、ｇ２とｈ２を結線しても良い。また、本実施例は回折格子の中央分割線に対して反対の領域同士の信号を結線することが特徴であるため、例えば図１8の場合には受光部ｅ１とｆ１、ｇ１とｈ１を同じ受光部で検出しても良いし、図１9の場合には受光部ａ１とｂ１、ｃ１とｄ１を同じ受光部で検出しても良い。
【実施例７】
【００８０】
実施例７では、光ピックアップ装置１７０を搭載した、光学的再生装置について説明する。図２０は光学的再生装置の概略構成である。光ピックアップ装置１７０は、光ディスク１００のＲａｄ方向に沿って駆動できる機構が設けられており、アクセス制御回路１７２からのアクセス制御信号に応じて位置制御される。
【００８１】
レーザ点灯回路１７７からは所定のレーザ駆動電流が光ピックアップ装置１７０内の半導体レーザに供給され、半導体レーザからは再生に応じて所定の光量でレーザ光が出射される。なお、レーザ点灯回路１７７は光ピックアップ装置１７０内に組み込むこともできる。
【００８２】
光ピックアップ装置１７０内の光検出器１０から出力された信号は、サーボ信号生成回路１７４および情報信号再生回路１７５に送られる。サーボ信号生成回路１７４では前記光検出器１０からの信号に基づいてフォーカス誤差信号、トラッキング誤差信号ならびにチルト制御信号などのサーボ信号が生成され、これを基にアクチュエータ駆動回路１７３を経て光ピックアップ装置１７０内のアクチュエータを駆動して、対物レンズの位置制御がなされる。
【００８３】
前記情報信号再生回路１７５では、前記光検出器１０からの信号に基づいて光ディスク１００に記録されている情報信号が再生される。
前記サーボ信号生成回路１７４および情報信号再生回路１７５で得られた信号の一部はコントロール回路１７６に送られる。このコントロール回路１７６にはスピンドルモータ駆動回路１７１、アクセス制御回路１７２、サーボ信号生成回路１７４、レーザ点灯回路１７７、球面収差補正素子駆動回路１７９などが接続され、光ディスク１００を回転させるスピンドルモータ１８０の回転制御、アクセス方向およびアクセス位置の制御、対物レンズのサーボ制御、光ピックアップ装置１７０内の半導体レーザ発光光量の制御、ディスク基板厚さの違いによる球面収差の補正などが行われる。
【実施例８】
【００８４】
実施例８では、光ピックアップ装置１７０を搭載した、光学的記録再生装置について説明する。図２１は光学的記録再生装置の概略構成である。この装置で前記図２０に説明した光学的情報記録再生装置と相違する点は、コントロール回路１７６とレーザ点灯回路１７７の間に情報信号記録回路１７８を設け、情報信号記録回路１７８からの記録制御信号に基づいてレーザ点灯回路１７７の点灯制御を行って、光ディスク１００へ所望の情報を書き込む機能が付加されている点である。
【００８５】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００８６】
２：対物レンズ、５：アクチュエータ、１０：光検出器、１１：回折格子、５０：半導体レーザ、５１：コリメートレンズ、５２：ビームスプリッタ、５３：フロントモニタ、５４：ビームエキスパンダ、５５：立ち上げミラー、５６：１／４波長板、１７０：光ピックアップ装置、１７１：スピンドルモータ駆動回路、１７２：アクセス制御回路、１７３：アクチュエータ駆動回路、１７４：サーボ信号生成回路、１７５：情報信号再生回路、１７６：コントロール回路、１７７：レーザ点灯回路、１７８：情報記録回路、１７９：球面収差補正素子駆動回路、１８０：スピンドルモータ、Ｄａ〜Ｄｉ：回折格子の領域、Ｄｉ１〜Ｄｉ４：回折格子の領域、ａ１〜ｉ１：光検出器上受光部、ａ２〜ｈ２：光検出器上受光部、ｒ〜ｖ：光検出器上受光部
【図１】
2011159352.tif 000010
【図２】
2011159352.tif 000011
【図３】
2011159352.tif 000012
【図４】
2011159352.tif 000013
【図５】
2011159352.tif 000014
【図６】
2011159352.tif 000015
【図７】
2011159352.tif 000016
【図８】
2011159352.tif 000017
【図９】
2011159352.tif 000018
【図１０】
2011159352.tif 000019
【図１１】
2011159352.tif 000020
【図１２】
2011159352.tif 000021
【図１３】
2011159352.tif 000022
【図１４】
2011159352.tif 000023
【図１５】
2011159352.tif 000024
【図１６】
2011159352.tif 000025
【図１７】
2011159352.tif 000026
【図１８】
2011159352.tif 000027
【図１９】
2011159352.tif 000028
【図２０】
2011159352.tif 000029
【図２１】
2011159352.tif 000030